(57)【特許請求の範囲】
【請求項１】
再生利用すべく破砕された建設廃棄物から軽量なゴミを吸引して回収する建設廃棄物用集塵装置のゴミ回収装置であって、前記ゴミが流れる吸込みダクトの途中位置に設けられ、ゴミの流れと交叉し且つ所定以上の大きさのゴミを付着させるフィルタを有する回転自在な回転回収体と、この回転回収体から落下させられた前記付着したゴミを貯蔵する気密保持されたゴミ貯蔵部と、このゴミ貯蔵部に堆積したゴミを除去するために開閉自在にされた蓋と、前記付着したゴミを前記ゴミ貯蔵部に落下させるための圧縮空気としての、前記吸い込みダクトから排出される吐出エアーの一部を前記回転回収体に吹付けるべく前記回転回収体の近傍に設けたゴミ除去用エアー吐出ノズルと、を備えてなることを特徴とする建設廃棄物用集塵装置のゴミ回収装置。
【請求項２】
再生利用すべく破砕された建設廃棄物から軽量なゴミを吸引して回収する建設廃棄物用集塵装置のゴミ回収装置であって、前記ゴミが流れる吸込みダクトの途中位置に設けられ、ゴミの流れと交叉し且つ所定以上の大きさのゴミを付着させるフィルタを有する回転自在な回転回収体と、この回転回収体から落下させられた前記付着したゴミを貯蔵する気密保持されたゴミ貯蔵部と、このゴミ貯蔵部に堆積したゴミを除去するために開閉自在にされた蓋と、前記付着したゴミを前記ゴミ貯蔵部に落下させるための圧縮空気を前記回転回収体に吹付けるべく前記回転回収体の近傍に設けたゴミ除去用エアー吐出ノズルと、を備えてなり、前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされていることを特徴とする建設廃棄物用集塵装置のゴミ回収装置。
【請求項３】
前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされていることを特徴とする請求項１記載の建設廃棄物用集塵装置のゴミ回収装置。
【請求項４】
前記回転回収体の回転回数または時間サイクルに応じて断続的に前記圧縮空気を吹付けること、を特徴とする請求項１、２または３記載の建設廃棄物用集塵装置のゴミ回収装置。
【発明の詳細な説明】
【０００１】
【発明の属する技術分野】
この発明は建設廃棄物用集塵装置のゴミ回収装置に係り、さらに詳しくは、建設廃棄物を破砕して再利用する破砕設備に使用される建設廃棄物用集塵装置のゴミ回収装置に関するものである。
【０００２】
【従来の技術】
従来より、建設廃棄物としての例えばアスファルト・コンクリート、コンクリート塊は、リサイクル法の指定副産物に指定され再生利用を促進するように定められているが、前記廃棄物を再生利用する場合、廃棄物を破砕して路盤材等に使用されるのが一般的である。また、アスファルト・コンクリートの場合には、路盤材以外にアスファルト合材として加熱されるのが一般的である。
【０００３】
しかしながら、このアスファルト・コンクリート、コンクリート塊が各現場より工場（破砕設備）に入荷される場合、このアスファルト・コンクリート、コンクリート塊に木屑、ビニール袋、軍手等のゴミが混入されている場合が多く、このゴミが再生利用する際に問題となり、再生利用の妨げとなっている。
【０００４】
このため、混入された木屑、ビニール袋、軍手等のゴミは、アスファルト・コンクリート、コンクリート塊に混入されたまま破砕設備を通過し、アスファルト・コンクリート、コンクリート塊と一緒に破砕された後、ベルトコンベアで搬送され、この搬送の際、例えばベルトコンベア上で作業者の目視によりゴミを除去するか、または破砕された後、オーバーサイズの篩で除去されている。さらに、除去されずに残ったゴミは、破砕設備の途中に設けられた水力選別機または複数の集塵装置によって製品と分別されている。
【０００５】
【発明が解決しようとする課題】
しかしながら、このような従来の技術にあっては、水力選別機においてはゴミと再使用可能な細粒分が一緒に集塵され、なおかつ水処理の装置が必要となり装置が複雑大型化してしまい又集塵機でゴミを集塵すると、破砕された細粒分もゴミと一緒に集塵されてしまう。このため再使用可能な細粒分は、一次集塵機のノックアウトボックスまたはサイクロンでゴミを集塵し、細粒分はバグフィルタにより集塵されて再使用するようになっているが、一次集塵機で集塵したゴミには細粒分も混入するので再使用ができなくなり、細粒分を再使用するようにするためには複数の集塵機が必要になり、装置が大型化するという問題がある。
【０００６】
また、ブロアにより吸込まれたゴミ、および破砕されたゴミが集塵機の風量調整ダンパーやダクトの曲り部分等に引っ掛かったり、そのゴミによる流速の変動により細粒分、特に細粒分の大きめのものがダクト内に堆積することがあり、ブロアの吸引能力の低下が生じるという問題がある。
【０００７】
この発明の目的は、以上のような従来の技術に着目してなされたものであり、サイクロンやノックアウトボックス等を使用せずに建設廃棄物の細粒分を回収すると共に、集塵機の吸引能力の低下を生じさせないような建設廃棄物のゴミ回収装置を提供することにある。
【０００８】
【課題を解決するための手段】
上記の目的を達成するために、請求項１による発明の建設廃棄物用集塵装置のゴミ回収装置は、再生利用すべく破砕された建設廃棄物から軽量なゴミを吸引して回収する建設廃棄物用集塵装置のゴミ回収装置であって、前記ゴミが流れる吸込みダクトの途中位置に設けられ、ゴミの流れと交叉し且つ所定以上の大きさのゴミを付着させるフィルタを有する回転自在な回転回収体と、この回転回収体から落下させられた前記付着したゴミを貯蔵する気密保持されたゴミ貯蔵部と、このゴミ貯蔵部に堆積したゴミを除去するために開閉自在にされた蓋と、前記付着したゴミを前記ゴミ貯蔵部に落下させるための圧縮空気としての、前記吸い込みダクトから排出される吐出エアーの一部を前記回転回収体に吹付けるべく前記回転回収体の近傍に設けたゴミ除去用エアー吐出ノズルと、を備えてなることを特徴とするものである。
【０００９】
従って、建設廃棄物を破砕しこれを回収して再生利用する際に、建設廃棄物に混ざっているゴミや破砕の際に発生するほこり等を除去すべく吸込みダクトによりゴミ等を吸込み、吸込みダクトの途中に設けられている回転回収体により再利用可能な細粒分を除いたゴミ等を除去する。
【００１０】
また、回転する回転回収体に付着させることにより除去されたゴミ等は、回転回収体から除去されて気密を保持することにより、貯蔵部よりの吸込みエアーの影響が少なくなりゴミの落下が容易になりゴミ貯蔵部に堆積する。このゴミ貯蔵部に堆積したゴミ等は、蓋を開けて取除かれる。網取付用シールプレートに取付けた網部材の各々にわたって付着しているゴミ等を、この網部材の近傍に設けられているゴミ用エアー吐出ノズルより圧縮空気としての、前記吸い込みダクトから排出される吐出エアーの一部を吹き付けることにより回転回収体の網部材から取除く。
【００１１】
請求項２による発明の建設廃棄物用集塵装置のゴミ回収装置は、再生利用すべく破砕された建設廃棄物から軽量なゴミを吸引して回収する建設廃棄物用集塵装置のゴミ回収装置であって、前記ゴミが流れる吸込みダクトの途中位置に設けられ、ゴミの流れと交叉し且つ所定以上の大きさのゴミを付着させるフィルタを有する回転自在な回転回収体と、この回転回収体から落下させられた前記付着したゴミを貯蔵する気密保持されたゴミ貯蔵部と、このゴミ貯蔵部に堆積したゴミを除去するために開閉自在にされた蓋と、前記付着したゴミを前記ゴミ貯蔵部に落下させるための圧縮空気を前記回転回収体に吹付けるべく前記回転回収体の近傍に設けたゴミ除去用エアー吐出ノズルと、を備えてなり、前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされていることを特徴とするものである。
【００１２】
従って、建設廃棄物を破砕しこれを回収して再生利用する際に、建設廃棄物に混ざっているゴミや破砕の際に発生するほこり等を除去すべく吸込みダクトによりゴミ等を吸込み、吸込みダクトの途中に設けられている回転回収体により再利用可能な細粒分を除いたゴミ等を除去する。
【００１３】
また、回転する回転回収体に付着させることにより除去されたゴミ等は、回転回収体から除去されて気密を保持することにより、貯蔵部よりの吸込みエアーの影響が少なくなりゴミの落下が容易になりゴミ貯蔵部に堆積する。このゴミ貯蔵部に堆積したゴミ等は、蓋を開けて取除かれる。網取付用シールプレートに取付けた網部材の各々にわたって付着しているゴミ等を、この網部材の近傍に設けられているゴミ用エアー吐出ノズルより圧縮空気を吹き付けることにより回転回収体の網部材から取除く。
【００１４】
前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされているので、ゴミ等は各々の空間を有する各ブロックの網部材に付着する。
【００１５】
請求項３による発明の建設廃棄物用集塵装置のゴミ回収装置は、請求項１記載の建設廃棄物用集塵装置のゴミ回収装置において、前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされていることを特徴とするものである。
【００１６】
従って、吸込みダクトより流入する細粒分を含んだゴミは、細粒分は網部材を通過し所定の大きさのゴミは各ブロックごとに移動し、前記網取付用シールプレートにより区画された網部材のフィルタの各ブロック内の気密を保持すべく外側ケーシングと網取付用シールプレートの隙間を小さくしたことによって吸込みエアーの影響が少なくなり網部材よりゴミの剥落が容易になる。
【００１７】
請求項４による発明の建設廃棄物用集塵装置のゴミ回収装置は、請求項１、２または３記載の建設廃棄物用集塵装置のゴミ回収装置において、前記回転回収体の回転回数または時間サイクルに応じて断続的に前記圧縮空気を吹付けること、を特徴とするものである。
【００１８】
従って、網取付用シールプレートに取付けた網部材の各々にわたって付着しているゴミ等を定期的に網部材より取除く。
【００１９】
【発明の実施の形態】
以下、この発明の実施の形態を図面に基づいて詳細に説明する。
【００２０】
図４には、アスファルト・コンクリート、コンクリート塊等の建設廃棄物の処理の全体的な流れが示されている。図４において、原石Ｓは原石ホッパー１に投入された後、振動グリズリーフィーダー３に送られる。この振動グリズリーフィーダー３にて例えば粒径が４０〜５０ｍｍより小さいものと大きいものとに分けられて、４０〜５０ｍｍより小さい粒径の原石Ｓはベルトコンベア５、７を経て製品ストックヤード９Ａにストックされる。
【００２１】
前記振動グリズリーフィーダー３にて分けられた４０〜５０ｍｍより大きい粒径の原石Ｓは一次クラッシャー１１へ投入され、破砕されてベルトコンベア１３へ送られる。アスファルト・コンクリート、コンクリート塊等の建設廃棄物からなる切削材Ｇは切削材ホッパー１５に投入された後、前記ベルトコンベア１３へ送られる。
【００２２】
前記ベルトコンベア１３に送られた一次クラッシャー１１で破砕された砕石と切削材Ｇはこのベルトコンベア１３で搬送され、二次クラッシャー１７に送られる。この二次クラッシャー１７で細粒分に破砕された後、ベルトコンベア１９、２１を経て振動篩い２３に送られる。この振動篩い２３で一定の大きさに振るい分けられて一定の大きさより細かい細粒分はベルトコンベア２５を経て製品ストックヤード９Ｂにストックされる。
【００２３】
前記振動篩い２３で振るい分けられた一定の大きさより大きい細粒分はベルトコンベア２７を経て前記ベルトコンベア１３に搬送され、さらに再度二次クラッシャー１７へ送られて破砕される。前記製品ストックヤード９Ａ、９Ｂにストックされた製品は、アスファルト再生プラント、又は路盤材として使用される。
【００２４】
例えばベルトコンベア１３又は２１の上方にはシュート２９が設けられている。従って、ベルトコンベア１９又は２７上の建設廃棄物の細粒分およびゴミは、ベルトコンベア１９又は２７の走行移動によってベルトコンベア１９又は２７から落されてシュート２９を経て、ベルトコンベア２１又は１３に移送されるものである。
【００２５】
前記ベルトコンベア１９とシュート２９との間およびベルトコンベア２７とシュート２９との間には、軽量なゴミを吸込む吸込みフード３１が取付けてあり、その構造は、特開平６−１９８２１０号公報に詳細に記載されており、集塵装置のゴミ回収装置を除いたものであるので説明を省略する。
【００２６】
また、前記振動篩い２３の構成も特開平６−１９８２１０号公報に記載されているものと同じものなので詳細な説明を省略する。この振動篩い２３により一定以上の大きな細粒分が分別されて前述のようにベルトコンベア２７へ搬送されてベルトコンベア１３に至る。
【００２７】
前記ベルトコンベア２１と振動篩い２３との間には、軽量なゴミを吸い込む吸い込みフードが取付けてあり、その構造は、特開平６−１９８２１０号公報に詳細を記載されており、集塵装置のゴミ回収装置を除いたものであるので詳細な説明を省略する。
【００２８】
この発明に係る建設廃棄物用の集塵装置３３は前記吸込みフード３５より吹込まれた軽量なゴミを回収する装置である。よって前記ベルトコンベア２１に振動篩い２３との間より吸込む方式での実施例を説明する。図１〜図３を参照するに、この集塵装置３３では、前記振動篩い２３のほぼ中央位置より下流側上方に吸込みフード３５が設けられており、この吸込みフード３５は吸込みダクト３７、３９、４１により吸込みブロア４３に連結されている。前記吸込みダクト３９部分にはこの発明に係る建設廃棄物用集塵装置のゴミ回収装置４５が設けられており、前記吸込みダクト３９と吸込みダクト４１の間にはバグフィルタ４７が設けられている。
【００２９】
前記ゴミ回収装置４５の円形部分４９には偏心した位置に穴５１が設けられており、この穴５１の前後に前記吸込みダクト３９が接続されている。前記円形部分４９の内部には所定の大きさの空間を有する回転回収体である網部材５３のフィルタが網取付用シールプレート５４に取付けてあり、網取付用シールプレート５４により各々の空間を有するブロックとなっている。その網取付用シールプレート５４はリング状の支持円筒５５に固定されでおり、円形部分４９のケーシングと網取付用シールプレート５４およびリング状の支持円筒５５は隙間を非常に小さくして各々ブロック内の気密性を高めている。リング状の支持円筒５５は回転軸５６により回転自在に軸支されており、モータ５７により回転駆動されるようになっている。
【００３０】
前記円形部分４９において回転する前記網部材５３の接線方向下方には、密封されたゴミ貯蔵部である直線部分６１が設けられている。この直線部分６１の上方において前記網部材５３に近接した位置には、ゴミ除去用吐出エアー吹き出しノズル６２が設けられている。このゴミ除去用吐出エアー吹き出しノズル６２は接続管６３に接続し吸込みブロア４３の排出口６７に接続しており吐出エアーが取り出される様に接続されている。また、接続管６３の途中に開閉弁６４が設けられている。前記直線部分６１の下端には蓋６５が開閉自在に設けられている。
この蓋６５は常時閉じられており、内部にたまったゴミを取出す際に開けるようになっている。
【００３１】
上記構成により、吸込みブロア４３が作動すると、吸込みダクト３７、３９、４１を介して吸込みフード３５から空気が吸込まれて、吸込みブロア４３に設けられている排気口６７から排気する。
【００３２】
このとき、振動篩い２３の上方に設けられている吸込みフード３５から振動篩い２３の振動により浮き上がった細粒分Ｃやゴミが吸込まれ、吸込みダクト３７を通ってゴミ回収装置４５に導かれる。このゴミ回収装置４５を通過する際に、吸込まれた空気に含まれる所定の大きさよりも大きなゴミが網部材５３の前面（図１中右側面）に引っ掛かる。この網部材５３の後方から前方へ向かって、前記吸込みブロア４３の吐出側から接続管６３を介してゴミ除去用エアー吐出しノズル６２からエアーは吐出されているので、この網部材５３の前面に引っ掛かっているゴミが除去される。除去されたゴミは貯蔵部分が気密性を上げているので、吸込みエアー等の影響を受けないから自然落下して直線部分６１を通り蓋又は気密性を良くした開閉ゲートである蓋６５部分にたまるので、蓋６５を開けてゴミを取出して除去する。
【００３３】
一方、ゴミ回収装置４５の網部材５３を透過した空気は吸込みダクト３９を通ってバグフィルタ４７に至り、このバグフィルタ４７により前記網部材５３を透過した細かな細粒分Ｃを回収する。バグフィルタ４７を通った空気はほこり等が除去されてきれいになっており、吸込みブロア４３の排気口６７から放出される。
【００３４】
以上の結果から、集塵装置３３を小型化することができ、設置場所の選択範囲が広がる。また、ゴミを回収するゴミ回収装置４５は、ゴミが発生しない箇所に設けることができるため、この装置の局部より発生するほこり等による故障を防止することができる。さらに、ゴミ回収装置４５に開閉可能な点検口を取り付けることができるようにすれば、維持・補修が容易になる。
【００３５】
図５には別の実施の形態が示されている。この集塵装置６９では、前述の図１に示されている集塵装置３３において水平な吸込みダクト３９の途中位置に設けられているゴミ回収装置４５の代わりに、吸込みフード３５のすぐ上にある垂直な吸込みダクト３７にゴミ回収装置７１を設けたものである。
【００３６】
従って、図６および図７に示されているように、ゴミ回収装置７１の円形部分７３は水平に設けられており、この円形部分７３に接続されている直線部分７５は円形部分７３に直交して下方に設けられている。この円形部分７３と直線部分７５との接続位置には、網部材５３により回収されたゴミを直線部分７５に落下させるための開口部７７（図７中ハッチング部分）が設けられている。
【００３７】
その他の構造は前述の集塵装置３３のものと同様なので、同じ部位には同じ符号を付して重複する説明は省略する。
【００３８】
なお、このゴミ回収装置７１では、上述した実施の形態と同様取付用シールプレート５４と外側ケーシングである円形部分７３との隙間を非常に小さくしてあるので、回転している網部材５３に垂直なダクト３７に接続した流入口５１によりゴミが付着し網取付用シールプレートで仕切られたブロックが開口部分７７に移動することにより、網部材５３に付着したゴミを吸込みエアーの影響をなくし剥離させて直線部分７５に落下させるようにしているが、前述の図１に示したゴミ回収装置４５と同様に、図８に示されているように、エアー吐出口７９ａを下向きに有するゴミ除去用エアー吐出ノズル７９を前記開口部７７の上方に設けて、図示省略のコンプレッサー等の圧縮機からの圧縮空気によりゴミを剥離させるようにしてもよい。
【００３９】
なお、この発明は前述の実施の形態に限定されることなく、適宜な変更を行なうことにより、その他の態様で実施し得るものである。
【００４０】
【発明の効果】
以上説明したように、請求項１の発明による建設廃棄物用集塵装置のゴミ回収装置では、建設廃棄物を破砕しこれを回収して再生利用する際に、建設廃棄物に混ざっているゴミや破砕の際に発生するほこり等を除去すべく吸込みダクトによりゴミ等を吸込んで、吸込みダクトの途中に設けられている回転回収体によりゴミ等を除去するので、コンパクトな装置によりゴミ等の除去を行うことができる。また、装置がコンパクトなので、所望の場所に取付けることが可能である。
【００４１】
また、回転する回転回収体に付着させることにより除去されたゴミ等は、ゴミ貯蔵部の下部気密性がよいため、下部よりの吸込みエアーの影響が少なくゴミは自然落下し回転回収体から除去されてゴミ貯蔵部に堆積するので、長時間連続してゴミ等の除去を行うことができる。また、このゴミ貯蔵部に堆積したゴミ等は、蓋を開けて容易に取除かれるので、維持補修が容易である。網取付用シールプレートに取付けた網部材の各々にわたって付着しているゴミ等を、この網部材の近傍に設けられているゴミ用エアー吐出ノズル吐出口より圧縮空気としての、前記吸い込みダクトから排出される吐出エアーの一部を吹き付けることにより網部材から取除くので、長時間連続してゴミ等の除去を行うことができる。
【００４２】
請求項２の発明による建設廃棄物用集塵装置のゴミ回収装置では、建設廃棄物を破砕しこれを回収して再生利用する際に、建設廃棄物に混ざっているゴミや破砕の際に発生するほこり等を除去すべく吸込みダクトによりゴミ等を吸込んで、吸込みダクトの途中に設けられている回転回収体によりゴミ等を除去するので、コンパクトな装置によりゴミ等の除去を行うことができる。また、装置がコンパクトなので、所望の場所に取付けることが可能である。
【００４３】
また、回転する回転回収体に付着させることにより除去されたゴミ等は、ゴミ貯蔵部の下部気密性がよいため、下部よりの吸込みエアーの影響が少なくゴミは自然落下し回転回収体から除去されてゴミ貯蔵部に堆積するので、長時間連続してゴミ等の除去を行うことができる。また、このゴミ貯蔵部に堆積したゴミ等は、蓋を開けて容易に取除かれるので、維持補修が容易である。網取付用シールプレートに取付けた網部材の各々にわたって付着しているゴミ等を、この網部材の近傍に設けられているゴミ用エアー吐出ノズル吐出口より圧縮空気を吹き付けることにより網部材から取除くので、長時間連続してゴミ等の除去を行うことができる。
【００４４】
前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされているので、網部材よりゴミの剥落を容易にすることができる。
【００４５】
請求項３の発明による建設廃棄物用集塵装置のゴミ回収装置では、前記回転回収体は、外側ケーシングにより覆われると共に、網部材のフィルタとこれに取り付けられる放射状の複数の網取付用シールプレートを有し、該網取付用シールプレートと前記外側ケーシングの隙間は、前記網取付用シールプレートにより区画された網部材のフィルタの各ブロック内の気密を保持すべく小さくされているので、網部材よりゴミの剥落を容易にすることができる。
【００４６】
請求項４の発明による建設廃棄物用集塵装置のゴミ回収装置では、圧縮空気を回転回数または時間サイクルにより断続的に網部材に吹付けるので、網部材の各々にわたって付着しているゴミ等を定期的に網部材より取除いて回収することができる。このため、ランニングコストを下げることができる。
【図面の簡単な説明】
【図１】  この発明に係る建設廃棄物用集塵装置のゴミ回収装置を示す斜視図である。
【図２】  図１中II−II位置における断面図である。
【図３】  図２中III 方向から見た断面図である。
【図４】  建設廃棄物の処理の全体的な流れを示す流れ図である。
【図５】  別の実施の形態に係る図１に相当する図である。
【図６】  図５中VI−VI線に沿った断面図である。
【図７】  図６中VII −VII 位置から見た平面図である。
【図８】  図７の変形例である。
【符号の説明】
３３  集塵装置
４５、７１  ゴミ回収装置
３５  吸込みフード
３７、３９、４１  吸込みダクト
４９、７３  円形部分（外側ケーシング）
５３  網部材（回転回収体）
５４  網取付用プレート
６１、７５  直線部分（ゴミ貯蔵部）
６２、７９  エアー吹出しノズル（吐出口）
６５  蓋
６９  集塵装置
Ｇ  切削材（建設廃棄物）
【図１】
0003725969.tif 000002
【図２】
0003725969.tif 000003
【図３】
0003725969.tif 000004
【図４】
0003725969.tif 000005
【図５】
0003725969.tif 000006
【図６】
0003725969.tif 000007
【図７】
0003725969.tif 000008
【図８】
0003725969.tif 000009